(57)【要約】【課題】レセプタクル又はプラグピンを収容するための空間ブロックと、空間ブロックを収容する第一のコネクター筐体であり、プラグピン又はレセプタクルを備えた第二のコネクター筐体と組み立てることが可能である第一のコネクター筐体と、第二のコネクター筐体に対して第一のコネクター筐体を密閉するパッキングと、穴を介して、第一のコネクター筐体を通されている電気導体とを有する電気コネクター部品について記載している。【解決手段】この電気コネクター部品では、パッキングが、空間ブロックと第一のコネクター筐体との間に配置されるとともに、導体が、穴を介して、パッキングを通されている。単一のパッキングが、二つの密閉機能、即ち、第一には電気導体がコネクター部分に入っている領域におけるコネクター部分の密閉と、第二にはコネクター部分と接続されている第二のコネクター部分に対する密閉とを有利な手法で同時に果たしている。【選択図】  図１
2007066898.tif 000002
【特許請求の範囲】
【請求項１】
レセプタクル（５）又はプラグピンを収容するための空間ブロック（３）と、
空間ブロック（３）を収容する第一のコネクター筐体（１）であり、プラグピン（６）又はレセプタクルを備えた第二のコネクター筐体（４）と組み立てることが可能である第一のコネクター筐体（１）と、
第二のコネクター筐体（４）に対して第一のコネクター筐体（１）を密閉するパッキング（２）と、
穴（７）を介して、第一のコネクター筐体（１）を通されている電気導体（８）と、
を有する電気コネクター部品において、
パッキング（２）が、空間ブロック（３）と第一のコネクター筐体（１）との間に配置されていることと、
導体（８）が、穴（９）を介して、パッキング（２）を通されていることと、
を特徴とする電気コネクター部品。
【請求項２】
パッキング（２）の周縁部（１７）が、空間ブロック（３）の周縁部を取り囲む形で盛り上がっていることを特徴とする請求項１に記載の電気コネクター部品。
【請求項３】
第一と第二のコネクター筐体（１，４）を組み立てた際に、パッキング（２）の周縁部（１７）が、第二のコネクター筐体（４）の内壁（１３）上に密着することを特徴とする請求項１に記載の電気コネクター部品。
【請求項４】
第一のコネクター筐体（１）の壁面（１０）が、第二のコネクター筐体（４）の壁面（１２）と当接することを特徴とする請求項１に記載の電気コネクター部品。
【請求項５】
第一のコネクター筐体（１）と第二のコネクター筐体（４）は、ロック部材（１１，１６）を用いて、互いにロックすることが可能であることを特徴とする請求項１又は４に記載の電気コネクター部品。
【請求項６】
パッキング（２）が、柔軟なゴム製パッキングとして実現されていることを特徴とする請求項１に記載の電気コネクター部品。
【請求項７】
第二のコネクター筐体（４）のプラグピン（６）又はレセプタクル（５）の導線が、第二のコネクター筐体（４）の壁面（１２）に接合されていることを特徴とする請求項１に記載の電気コネクター部品。
【請求項８】
パッキング（２）が、空間ブロック（３）の端面に配置されることを特徴とする請求項１に記載の電気コネクター部品。
【請求項９】
パッキング（２）の周縁部が、第二のコネクター筐体（４）の壁面（１３）上に密着することを特徴とする請求項１に記載の電気コネクター部品。
【請求項１０】
パッキング（２）が、支持ウェブ（１５）を密閉した形で通すための貫通孔（１４）を有することを特徴とする請求項１に記載の電気コネクター部品。
【請求項１１】
パッキング（２）の穴（９）が、第一のコネクター筐体（１）の穴（７）と位置が揃った形で配置されていることを特徴とする請求項１０に記載の電気コネクター部品。
【発明の詳細な説明】
【技術分野】
【０００１】
この発明は、レセプタクル又はプラグピンを収容するための空間ブロックと、この空間ブロックを収容し、プラグピン又はレセプタクルを備えた第二のコネクター筐体と組み立てることができる第一のコネクター筐体と、第二のコネクター筐体に対して第一のコネクター筐体を密閉するパッキングと、穴を介して、第一のコネクター筐体を通されている電気導体とを有する電気コネクター部品に関する。
【背景技術】
【０００２】
特許文献１及び特許文献２により、二つのコネクター部分のコネクター筐体の間に、ゴム製パッキングを嵌め込んでいるコネクターが周知である。一方のコネクター部分のプラグピンは、パッキングの穴を介して通されて、他方のコネクター部分のレセプタクルと接触している。従って、パッキングは、両方のコネクター部分を互いに密閉している、即ち、コネクター部分の遷移領域に湿気が侵入するのを防止するという課題を果たしている。
【０００３】
湿気に対してコネクターを完全に密閉するためには、湿気の侵入に対して、コネクター部分の導線領域を更に保護することも必要である。このことは、コネクター部分のコネクター筐体にピン形状の導線が差し込まれる場合には問題とはならない。そのように構成されたコネクター部分は、大抵の場合コネクターの固く取り付けられた部分を形成する。
【０００４】
そのコネクター部分に被せられるコネクター部分は、多くの場合導線として柔軟なリード線を有する。以下において、短く導体と称する、このリード線は、コネクター部分のコネクター筐体を介して通されて、機械的に安定して配置するために、しばしば空間ブロック内に嵌め込まれているコネクターのレセプタクル又はプラグピンと電気的及び機械的に接続される。
【０００５】
湿気から密閉した形でコネクター筐体を介して導体を通すためには、この貫通孔は、後から導体の周りに注型することによって密閉されるか、或いは電気導体を通すための別のパッキングを配備することが可能である。後からの注型も追加部品としての別のパッキングも、コスト負担が生じることを意味する。
【特許文献１】ドイツ特許第６９８０５０８４号明細書
【特許文献２】ドイツ特許第６９５１６９４７号明細書
【発明の開示】
【発明が解決しようとする課題】
【０００６】
この発明の課題は、前述したコスト負担の発生を回避した形の電気コネクター部品を実現することである。
【課題を解決するための手段】
【０００７】
この課題は、この発明にもとづき、空間ブロックと第一のコネクター筐体との間にパッキングを配置することと、このパッキングの穴を介して、導線を通すこととによって解決される。
【０００８】
即ち、この発明では、コネクター筐体の貫通孔の領域における電気導体に関する密閉と同時に、第二のコネクター部分のコネクター筐体に対する湿気を通さない形の密閉とを実現する共通のパッキングを規定するものである。
【０００９】
この発明の有利な実施形態及び改善構成は、従属請求項と以下における図面を用いた実施例の記述とから明らかとなる。
【発明を実施するための最良の形態】
【００１０】
図１は、第一のコネクター部分を分解図で図示している。このコネクター部分は、図１に図示されていないレセプタクル又はプラグピンを収容するための二列の空間１８を備えた空間ブロック３を有する。
【００１１】
更に、空間ブロック３は、そのクランプ領域に、空間ブロック３の上側から開いた形で突き出た一体的に成形された二つの支持ウェブ１５を有する。
【００１２】
この支持ウェブ１５は、平坦に実現され、有利には、ゴム製パッキングとして実現されたパッキング２の貫通孔１４を介して通され、その際貫通孔１４は、支持ウェブ１５と密閉した形で閉じられる。更に、パッキング２は、パッキング２を空間ブロック３上に取り付けた後では、精確に収容空間１８の開口部の前に位置することとなる穴を有する。
【００１３】
支持ウェブ１５は、その終端部分に、それぞれ一つのロック部材１９を有し、それによって、空間ブロック３を第一のコネクター筐体１と接続してロックすることができる。
【００１４】
第一のコネクター筐体１は、空間ブロック３の上に広がるとともに、その上側に、空間ブロック３の収容空間１８の数と同じ数の二列の成形された穴７の開いたキャップ状の形をしており、これらの穴は、パッキング２の穴９及び収容空間１８の開口部と位置が揃っている。
【００１５】
空間ブロック３は、第一のコネクター部分に嵌め込む場合、第一のコネクター筐体１の内部に差し込まれて、第一のコネクター筐体１とロックされる。
【００１６】
そのようにして構成された第一のコネクター部分は、図２に図示された第二のコネクター部分と接続することができる。横断面が楕円形か、長方形の第二のコネクター筐体４の中には、下側から複数の導線２０が通されて、有利には、注型されており、これらの導線は、第二のコネクター筐体４の内部において、図示されていないプラグピンを形成している。
【００１７】
第二のコネクター筐体４の外側には、第一のコネクター筐体１に設けられたロックレバー１６と共にロック式連結機構を形成するロックノブ１１が成形されている。図３は、第一と第二のコネクター部分を組み立てて完成したコネクターの断面図を図示している。
【００１８】
この場合、第一のコネクター筐体１の壁面１０は、第二のコネクター筐体４の壁面１２と係合する一方、空間ブロック３は、第二のコネクター筐体４の内部に差し込まれる。第一のコネクター筐体１上に置かれているロック用フック１６は、第二のコネクター筐体４上に成形されたロックノブとロックし合う。こうすることによって、両方のコネクター部分１，４は、想定外の分離に対して保証される。
【００１９】
第二のコネクター筐体４内に注型されているプラグピン６は、空間ブロック３の収容空間１８に差し込まれているレセプタクル５と接触する。柔軟なリード線として形成され、パッキング２の穴９及び第一のコネクター筐体１の穴７を介して通されている電気導体８が、レセプタクル５と接続される。
【００２０】
更に、第一のコネクター筐体１と空間ブロック３の間に配置されているパッキング２は、第二のコネクター筐体４の内壁１３上の複数のシールリップ２１と密着して、そのようにしてコネクター筐体１，４の間の遷移領域を密閉している。第二のコネクター筐体４を被せることによって、パッキング２が、半径方向に対して押し付けられることとなり、それにより、更に穴９の領域において、通されている導体８にしっかりと押圧されることとなる。
【００２１】
従って、単一のパッキング２が、二つの密閉機能、即ち、第一には柔軟な導体８がコネクター部分に入っている領域におけるコネクター部分の密閉と、第二にはコネクター部分１と接続されている第二のコネクター部分４に対する密閉とを有利な手法で同時に果たしている。
【図面の簡単な説明】
【００２２】
【図１】第一のコネクター部分の分解図
【図２】第二のコネクター部分
【図３】第一と第二のコネクター部分を繋いだ状態の断面図
【符号の説明】
【００２３】
１    第一のコネクター筐体
２    パッキング
３    空間ブロック
４    第二のコネクター筐体
５    レセプタクル
６    プラグピン
７    穴
８    導体
９    穴
１０    （第一のコネクター筐体の）壁面
１１    ロックノブ
１２    （第二のコネクター筐体の）壁面
１３    内壁
１４    貫通孔
１５    支持ウェブ
１６    ロックレバー
１７    （パッキングの）周縁部
１８    収容空間
１９    ロック部材
２０    ピン形状の導線
２１    シールリップ
【図１】
2007066898.tif 000003
【図２】
2007066898.tif 000004
【図３】
2007066898.tif 000005